(57)【要約】【課題】  出力端子に接続するはずのコネクタを誤ってモニタ端子に接続することを防止し、たとえ誤接続したとしても速やかに誤接続に気付く。【解決手段】  ブースタ１は、入力端子１０、１２、１４から供給された信号を増幅して出力端子４４から出力する。ブースタ１は、出力端子４４から出力される信号をモニタするモニタ端子４８を有している。入力端子１０、１２、１４、出力端子４４及びモニタ端子４８は、同一形式のものであり、モニタ端子４８は、その長さが、入力端子１０、１２、１４及び出力端子４４よりも短く形成されている。【選択図】        図１
2008193360.tif 000002
【特許請求の範囲】
【請求項１】
入力端子から供給された信号を処理して出力端子から出力し、前記入力端子に供給される信号または前記出力端子から出力される信号をモニタするためのモニタ端子を有する信号処理装置において、
前記入力端子、出力端子及びモニタ端子は、コネクタが接続される同一形式のものであり、前記モニタ端子は、その長さが、前記入力端子及び出力端子のうちモニタされる信号に関連するものよりも短く形成されている信号処理装置。
【請求項２】
請求項１記載の信号処理装置において、前記各端子が一列に配置されている信号処理装置。
【請求項３】
請求項１記載の信号処理装置は、筐体内に収容され、前記各端子は、前記筐体を設置した状態における筐体の底部に一列に設けられている信号処理装置。
【請求項４】
請求項３記載の信号処理装置において、前記モニタ端子は、モニタされる信号に関連する前記出力端子または入力端子に隣接して設けられている信号処理装置。
【発明の詳細な説明】
【技術分野】
【０００１】
本発明は、信号処理装置に関し、特に、この信号処理装置から入力または出力される信号をモニタするためのモニタ端子を備えたものに関する。
【背景技術】
【０００２】
上記のような信号処理装置の一例が特許文献１に開示されている。この信号処理装置はブースタで、筐体内に、ブースタ回路が収容されたケースが収容されている。ケースの一面には入力端子、モニタ端子及び出力端子が一列に設けられ、これら入力端子、モニタ端子及び出力端子は、筐体から突出している。これら入力端子、モニタ端子及び出力端子には、全く同一の構造の同軸接栓が使用されている。
【０００３】
【特許文献１】特開２００２−２１７７５６号公報
【発明の開示】
【発明が解決しようとする課題】
【０００４】
このような信号処理装置では、入力端子、出力端子及びモニタ端子は、同じ構造であるので、その長さは等しく、入力端子または出力端子に接続する必要のあるコネクタを誤ってモニタ端子に接続することがある。このような誤接続が生じた場合、正常な信号出力が行えないが、各端子の構造が同じであるので、誤接続に速やかに気付かず、正常な接続にするのに手間取る。
【０００５】
本発明は、誤ってモニタ端子にコネクタを接続することを防止し、たとえ誤接続したとしても速やかに誤接続に気付くことができる信号処理装置を提供することを目的とする。
【課題を解決するための手段】
【０００６】
本発明の一態様による信号処理装置は、入力端子から供給された信号を処理して出力端子から出力し、前記入力端子に供給される信号または前記出力端子から出力される信号をモニタするためのモニタ端子を有している。入力端子は、１つだけ設けられることもあるし、複数設けられることもある。同様に、出力端子も、１つだけ設けられることもあるし、複数設けられることもある。信号処理としては、例えば入力された信号を、増幅することもあるし、周波数変換することもあるし、分岐または分配する。入力端子、出力端子及びモニタ端子は、コネクタが接続される同一形式のものである。モニタ端子は、入力端子及び出力端子のうちモニタされる信号に関連するものよりも短く形成されている。例えば、出力端子に供給される出力信号をモニタする場合には、モニタ端子は、出力端子よりも短く形成され、入力端子に供給される入力信号をモニタする場合には、モニタ端子は、出力端子よりも短く形成される。なお、モニタ端子は、入力信号及び出力信号いずれをモニタする場合でも、モニタ端子以外の端子の全てよりも短く形成することもできる。
【０００７】
このように構成された信号処理装置では、モニタ端子が入力端子及び出力端子のうちモニタされる信号に関連するものと同一形式のものであっても、モニタ端子の長さが短いので、モニタ端子を見誤ることがなく、本来入力端子または出力端子に接続する必要のあるコネクタをモニタ端子に接続することがない。また、たとえ、誤接続したとしても、モニタ端子の長さが短いので、直ちに誤接続していることに気付く。
【０００８】
なお、モニタ端子の長さを他の端子よりも長くすることも考えられるが、この場合、モニタ端子での電気長が他の端子よりも長くなり、信号処理装置の特性上望ましくないし、信号処理装置を梱包した場合にも、モニタ端子のみが突出するため、梱包材が大型になり、またコストの増大を招く。
【０００９】
各端子は一列に配置されていることがある。この場合、特に、誤接続しやすいが、モニタ端子の長さが短いので、いずれの端子がモニタ端子であるか即座に気付き、誤接続を防止することができる。
【００１０】
或いは、信号処理装置は、筐体内に収容され、前記各端子は、前記筐体を設置した状態における筐体の底部に一列に設けられていることがある。筐体を例えば壁や支柱等に設置した状態において底部に各端子が一列に接続されている場合、特に設置高さが作業員の背の高さよりも高い場合、作業員は、各端子を見上げる状態になり、いずれの端子が入力端子、出力端子、モニタ端子であるか、判別しにくいが、モニタ端子の長さを短くしてあることにより、モニタ端子を見誤ることがなく、誤接続を防止することができる。
【００１１】
更に、モニタ端子は、モニタされる信号に関連する出力端子または入力端子に隣接して設けられている場合には、より誤接続しやすいが、モニタ端子の長さが短いので、モニタ端子を確実に認識することができ、誤接続を確実に防止できる。
【発明の効果】
【００１２】
以上のように、本発明によれば、モニタ端子を他の端子と確実に区別することができ、他の端子に接続する必要のあるコネクタをモニタ端子に誤って接続することを防止できるし、たとえ誤ってモニタ端子に接続したとしても、即座に誤接続に気付くことができる。
【発明を実施するための最良の形態】
【００１３】
本発明の１実施形態の信号処理装置は、例えばブースタ１に本発明を実施したもので、図１に示すような筐体２を有している。筐体２は、上部が開口された扁平な直方体状のもので、その上部開口には、開閉可能な蓋４が取り付けられている。この筐体２は、例えば図３に示すように、アンテナ支柱６に図示しない取付具を介して取り付けられるか、或いは筐体２の底部両側に設けた取付部８、８に挿通したネジ（図示せず）を介して壁等に固定される。
【００１４】
ブースタは、図２に示すように、入力端子、例えばＶＨＦ入力端子１０と、ＵＨＦ／ＵＨＦ・ＶＨＦ入力端子１２と、ＢＳ−ＩＦ入力端子１４とを、有している。ＶＨＦ入力端子１０には、ＶＨＦ帯受信用アンテナ１６によって受信されたＶＨＦ帯のテレビジョン放送信号が入力される。ＵＨＦ／ＵＨＦ・ＶＨＦ入力端子１２には、ＵＨＦ帯受信用アンテナ１８によって受信されたＵＨＦ帯のテレビジョン放送信号または、ＶＨＦ帯受信用アンテナ１６及びＵＨＦ帯受信用アンテナ１８によってそれぞれ受信されたＵＨＦ帯及びＶＨＦ帯のテレビジョン放送信号を図示しない混合器で混合した混合信号が供給される。ＢＳ−ＩＦ入力端子１４には、衛星放送受信アンテナ２０ａで受信され、このアンテナ２０ａに付属するコンバータ２０ｂで周波数変換された衛星放送中間周波（ＢＳ−ＩＦ）信号が供給される。
【００１５】
ＶＨＦ入力端子１０にＶＨＦ帯のテレビジョン放送信号が入力され、ＵＨＦ／ＵＨＦ・ＶＨＦ入力端子１２にＵＨＦ帯のテレビジョン放送信号が供給されているとき、ＶＨＦ入力端子１０とＵＨＦ／ＵＨＦ・ＶＨＦ入力端子１２との間に設けられたスイッチ手段、例えば手動開閉スイッチ２２が開放されている。これによって、ＶＨＦ入力端子１０のＶＨＦ帯のテレビジョン放送信号が抽出手段、例えばフィルタ２４に供給され、ここで不要な信号成分が除去されたＶＨＦ帯のテレビジョン放送信号のみが、レベル調整手段、例えばゲインコントロール部２６でゲインコントロールされ、増幅手段、例えば増幅器２８によって増幅される。同様にＵＨＦ／ＵＨＦ・ＶＨＦ入力端子１２のＵＨＦ帯のテレビジョン放送信号が抽出手段、例えばフィルタ３０に供給され、ここで不要な信号成分が除去されたＵＨＦ帯のテレビジョン放送信号のみが、レベル調整手段、例えばゲインコントロール部３２でゲインコントロールされ、増幅手段、例えば増幅器３４によって増幅される。
【００１６】
ＵＨＦ／ＵＨＦ・ＶＨＦ入力端子１２にＵＨＦ帯及びＶＨＦ帯のテレビジョン放送信号の混合信号が供給され、ＶＨＦ入力端子１０にＶＨＦ帯テレビジョン放送信号が供給されていない場合、手動開閉スイッチ２２は、閉成されており、混合信号は、フィルタ２４、３０にそれぞれ供給され、フィルタ２４によって混合信号からＶＨＦ帯テレビジョン放送信号が、フィルタ３０によって混合信号からＵＨＦ帯テレビジョン放送信号が、それぞれ抽出される。以下、上述したのと同様に、ゲインコントロール部２６、３２でゲインコントロールされ、増幅器２８、３４によって増幅される。
【００１７】
ＢＳ−ＩＦ入力端子１４の衛星放送中間周波信号は、抽出手段、例えばフィルタ３６に供給され、ここで不要な信号成分が除去された衛星放送中間周波信号のみが、レベル調整手段、例えばゲインコントロール部３８でゲインコントロールされ、増幅手段、例えば増幅器４０によって増幅される。
【００１８】
このようにゲインコントロール及び増幅されたＶＨＦ帯テレビジョン放送信号、ＵＨＦ帯テレビジョン放送信号及び衛星放送中間周波信号は、混合手段、例えば混合器４２によって混合され、出力端子４４に供給される。混合器４２の出力側と出力端子４４との間に、分岐手段、例えば１分岐器４６が設けられ、この１分岐器４６の分岐出力がモニタ端子４８に供給されている。
【００１９】
なお、ゲインコントロール部２６、３２、３８は、手動調整可能なものとすることもできるし、ＡＧＣ回路を備えた自動調整可能なものとすることもできる。このような増幅回路は、筐体２内に収まる直方体状のケース（図示せず）に収容され、このケースが筐体２に収容されている。
【００２０】
このケースの一方の側面に一列にＶＨＦ入力端子１０、ＵＨＦ／ＵＨＦ・ＶＨＦ入力端子１２、ＢＳ−ＩＦ入力端子１４、モニタ端子４８及び出力端子４４がこの順に一列に配置され、図１及び図３に示すように、この端子列が、筐体２を支柱または壁に取り付けた状態で底面となる筐体２の部分に形成した孔から突出し、コネクタが接続可能とされている。これら孔の周囲には二重に円筒状部４９がそれぞれ形成されている。
【００２１】
これらＶＨＦ入力端子１０、ＵＨＦ／ＵＨＦ・ＶＨＦ入力端子１２、ＢＳ−ＩＦ入力端子１４、モニタ端子４８及び出力端子４４は、同じ形式の接栓、例えばレセプタクル型の高周波同軸コネクタである。即ち、周囲におねじが形成された導電性の円筒状外部接続部５０と、その内部の中心に配置されたレセプタクル５２と、レセプタクル５２と外部接続部５０の内周面との間に設けられた絶縁体充填物５４とからなる。但し、ＶＨＦ入力端子１０、ＵＨＦ／ＵＨＦ・ＶＨＦ入力端子１２、ＢＳ−ＩＦ入力端子１４及び出力端子４４は、同じ長さであるが、モニタ端子４８だけがＶＨＦ入力端子１０、ＵＨＦ／ＵＨＦ・ＶＨＦ入力端子１２、ＢＳ−ＩＦ入力端子１４及び出力端子４４よりも短い長さとされている。また、モニタ端子４８は、モニタする出力端子４４に隣接して配置されている。
【００２２】
このように構成されたブースタは、ＶＨＦ帯受信用アンテナ１６、ＵＨＦ帯受信用アンテナ１８、衛星放送受信アンテナ２０ａが取り付けられたアンテナ支柱６に、例えば図３に示すように、ＶＨＦ入力端子１０、ＵＨＦ／ＵＨＦ・ＶＨＦ入力端子１２、ＢＳ−ＩＦ入力端子１４、出力端子４４及びモニタ端子４８が、下方に位置するように、取り付けられる。壁に取り付けられる場合も同様である。
【００２３】
ＶＨＦ帯受信用アンテナ１６に接続された同軸ケーブルのコネクタがＶＨＦ入力端子１０に、ＵＨＦ帯受信用アンテナ１８に接続された同軸ケーブルのコネクタがＵＨＦ／ＵＨＦ・ＶＨＦ入力端子１２に、衛星放送受信用アンテナ２０ａのコンバータ２０ｂに接続された同軸ケーブルのコネクタがＢＳ−ＩＦ入力端子１４に、それぞれ接続され、テレビジョン受信機のアンテナ入力端子に接続された同軸ケーブルのコネクタが出力端子４４に接続される。但し、出力端子４４にコネクタを接続する際、隣接するモニタ端子４８に誤って接続する可能性があるが、モニタ端子４８の長さが、他の端子１０、１２、１４、４４よりも短いので、誤接続を防止することができる。また、仮に誤接続しても、即座に誤接続に気付く。
【００２４】
例えば、モニタ端子４８を他の端子１０、１２、１４、４４よりも長くする事も考えられる。しかし、これら端子１０、１２、１４、４４、４８は、ケースに取り付けられ、このケースを筐体２の孔に挿通する必要があるが、長さの長い端子４８があると、その挿通を速やかに行えず、生産能率が低下する。また、モニタ端子４８のみが長いと、筐体２よりモニタ端子４８のみが突出し、梱包材が増加したり、梱包がしにくくなる。また、モニタ端子４８が長いと、モニタ端子４８を通過する高周波信号に対する電気長が長くなり、特性上好ましくない。更に、通常設置状態では、モニタ端子４８には、他の端子に被せてあった防水キャップよりも長い防水キャップを被せる必要がある。これらの点を考慮して、モニタ端子４８の長さを短くしてある。
【００２５】
上記の実施形態では、ブースタに本発明を実施したが、これに限ったものではなく、モニタ端子を備える他の信号処理装置、例えば共同受信システムにおいて使用する中継増幅器や、周波数変換装置に使用することもできる。この場合、モニタ端子は、出力される信号をモニタするものに限らず、例えば入力される信号をモニタする場合もあるし、入力される信号及び出力される信号をそれぞれモニタする複数のモニタ端子を設ける場合もある。これらの場合も、各モニタ端子の長さを他の端子よりも短くする。
【図面の簡単な説明】
【００２６】
【図１】本発明の１実施形態によるブースタの斜視図である。
【図２】図１のブースタのブロック図である。
【図３】図１のブースタの使用状態を示す斜視図である。
【符号の説明】
【００２７】
１  ブースタ（信号処理装置）
２  筐体
１０  ＶＨＦ入力端子（入力端子）
１２  ＵＨＦ／ＵＨＦ・ＶＨＦ入力端子（入力端子）
１４  ＢＳ−ＩＦ入力端子（入力端子）
４４  出力端子
４８  モニタ端子
【図１】
2008193360.tif 000003
【図２】
2008193360.tif 000004
【図３】
2008193360.tif 000005